(57)【要約】【課題】  フイルムパトローネが装填されたときに、フイルムのスプロケットへの引っ掛かりを防止し、目切れなどの破損を防ぐ。【解決手段】  カメラ２のパトローネ装填室３６は、パトローネ４の外周面に合わせた形状となっており、軸方向に落とし込むことが可能となっている。スプロケット４２は、複数の歯が形成されており、外周縁の下面側が傾斜面となっている。パトローネ装填室３６の内部に検出部５１が設けられており、パトローネ４が装填されたときオン状態となる。パトローネ４の装填が検出されたとき、モータが回転駆動を伝達してスプロケット４２が回転する。【選択図】        図２
2005077514.tif 000002
【特許請求の範囲】
【請求項１】
パトローネ装填室と、フイルム巻き取り室と、前記パトローネ装填室から前記フイルム巻き取り室までの間に配置されたフイルム給送路と、このフイルム給送路の途中に設けられ、フイルムのパーフォレーションに係合して回動することによってフイルム給送路に沿って前記フイルムを移送させるスプロケットとがカメラ本体に組み込まれ、フイルムパトローネからフイルムの一部が引き出された状態で、前記パトローネ装填室へ前記フイルムパトローネを軸方向に沿って挿入可能に形成された開口部が前記カメラ本体に形成されたカメラにおいて、
前記スプロケットの外周縁に、前記フイルムパトローネの挿入方向に対して傾斜する傾斜面を形成するとともに、前記パトローネ装填室の内部に前記フイルムパトローネの装填を検出する検出部を設け、前記パトローネ装填室へのフイルムパトローネの装填状態が検出されたとき、前記スプロケットを回動させることを特徴とするカメラ。
【請求項２】
前記カメラ本体に対して開閉自在に取り付けられ、開放状態のとき前記開口部を露呈し、閉じ状態のときカメラ本体の内部を光密に塞ぐパトローネ装填蓋を備えており、このパトローネ装填蓋の閉じ状態を検出し、且つ前記フイルムパトローネの装填状態が検出されたとき、前記スプロケットを回動させることを特徴とする請求項１記載のカメラ。
【発明の詳細な説明】
【技術分野】
【０００１】
本発明は、カメラに関するものであり、さらに詳しくは、パトローネ装填室へフイルムパトローネを軸方向に沿って装填するドロップインロード（以下、ＤＩＬと称する。）方式のカメラに関するものである。
【背景技術】
【０００２】
従来、フイルムパトローネの装填を容易に行うことが可能なものとしてＤＩＬ方式のカメラが知られている。この種のＤＩＬ方式のカメラの一般的な構成としては、パトローネ装填室、フイルム巻き取り室、及びパトローネ装填室からフイルム巻き取り室まで連続するフイルム給送路が設けられたカメラ本体に対して開閉自在な装填蓋を設け、装填蓋を開放位置にすると、パトローネ装填室、及びフイルム給送路が露呈し、外部からフイルムパトローネ及びフイルムを、フイルムパトローネの軸方向に沿って装填することが可能となっている。
【０００３】
一方、上述したフイルム給送路には、例えば、特許文献１に記載されているように、送り歯が形成され、フイルム給送機構により回転駆動されるスプロケットを設け、このスプロケットの送り歯をフイルムのパーフォレーションに係合させてフイルム巻き取り室へとスムーズにフイルムを移送させる構成としていることが多い。
【０００４】
【特許文献１】特開平９−１０５９８６号公報
【発明の開示】
【発明が解決しようとする課題】
【０００５】
しかしながら、上述したようなＤＩＬ方式のカメラでは、パトローネ装填室へフイルムパトローネが装填されたときに、スプロケットの下面に写真フイルムの端縁が引っ掛かり、フイルム給送路に正常にセットされないことがある。そこで、上記特許文献１に記載されているスプロケットのように、下面側の外周縁を面取り、又は円弧状に丸めるなどして、フイルムの引っ掛かりを防ぐことも考えられるが、このようなスプロケットを使用した場合でも、フイルムパトローネをパトローネ装填室に落とし込むときの使用者の力の入れ具合や、落とし込む方向がずれたり、またスプロケットの位置、フイルムのカールの度合いなどにより、やはりスプロケットにフイルムが引っ掛かる可能性が高い。さらに、スプロケットにフイルムが引っ掛かることによって、フイルムに過剰な力が掛かって破損したり、フイルム給送路に正常にセットされない状態でスプロケットが駆動されると、フイルムに異常なテンションが掛かって、パーフォレーションの間の部分が破損する状態、いわゆる目切れが発生することになる。
【０００６】
本発明は上記問題点を考慮してなされたものであり、ＤＩＬ方式で、フイルムパトローネがパトローネ装填室に装填されたときに、フイルムのスプロケットへの引っ掛かりを防止し、さらにフイルムに目切れなどの破損が発生することを防ぐことが可能なカメラを提供することを目的とする。
【課題を解決するための手段】
【０００７】
上記目的を達成するために、本発明のカメラでは、パトローネ装填室と、フイルム巻き取り室と、前記パトローネ装填室から前記フイルム巻き取り室までの間に配置されたフイルム給送路と、このフイルム給送路の途中に設けられ、フイルムのパーフォレーションに係合して回動することによってフイルム給送路に沿って前記フイルムを移送させるスプロケットとがカメラ本体に組み込まれ、フイルムパトローネからフイルムの一部が引き出された状態で、前記パトローネ装填室へ前記フイルムパトローネを軸方向に沿って挿入可能に形成された開口部が前記カメラ本体に形成されたカメラにおいて、前記スプロケットの外周縁に、前記フイルムパトローネの挿入方向に対して傾斜する傾斜面を形成するとともに、前記パトローネ装填室の内部に前記フイルムパトローネの装填を検出する検出部を設け、前記パトローネ装填室へのフイルムパトローネの装填状態が検出されたとき、前記スプロケットを回動させている。
【０００８】
なお、前記カメラ本体に対して開閉自在に取り付けられ、開放状態のとき前記開口部を露呈し、閉じ状態のときカメラ本体の内部を光密に塞ぐパトローネ装填蓋を備えており、このパトローネ装填蓋の閉じ状態を検出し、且つ前記フイルムパトローネの装填状態が検出されたとき、前記スプロケットを回動させることが好ましい。
【発明の効果】
【０００９】
本発明のカメラによれば、スプロケットの外周縁に、フイルムパトローネの挿入方向に対して傾斜する傾斜面を形成するとともに、パトローネ装填室の内部にフイルムパトローネの装填を検出する検出部を設け、パトローネ装填室へのフイルムパトローネの装填状態が検出されたとき、スプロケットを回動させるようにしているので、簡略且つローコストな構成で、フイルムのスプロケットへの引っ掛かりを防止し、さらにスプロケットに引っ掛かった場合でも、フイルム給送路にフイルムを正常にセットして、目切れなどのフイルムの破損を防止することが可能となる。
【発明を実施するための最良の形態】
【００１０】
図１は、本発明を実施したカメラ１の正面側斜視図、図２はカメラ１のパトローネ装填蓋２を開いた状態を示す背面側斜視図である。本実施形態のカメラ１はパトローネ装填蓋２とカメラボディ３とを備え、写真フイルムパトローネ（以下では、単にパトローネと称する。）４をＤＩＬ方式に装填する構造である。なお、図２においては、パトローネ４を装填するときの状態を示しやすいように、カメラ１を底面側から見た図としている。
【００１１】
パトローネ４は、図２に示すように、パトローネ本体５と、その中に回転自在に収納されるスプール６と、このスプール６に巻きつけられた写真フイルム（以下、単にフイルムと称する。）7 とからなる。なお、このパトローネ４は、製品状態のパッケージ（図示せず）から取り出されたときに、パトローネ本体５の側面に形成されたスリット状の開口部５ａからフイルム７の一部が引き出された状態となっている。
【００１２】
このカメラ１のカメラボディ３の前面には、撮影レンズ８、対物側ファインダレンズ９、ストロボ発光部１０、レンズバリア操作スイッチ１１、及びストロボ操作スイッチ１２が設けられ、上面には、シャッタボタン１３、残り撮影枚数を表示するカウンタ窓１４、ライトガイド１５などが設けられている。また、カメラボディ３の背面上方部には、接眼側ファインダレンズ１６（図２参照）などが設けられている。
【００１３】
カメラボディ３は、詳しくは図３に示すように、本体基部１９と、この本体基部１９を覆う前カバー２０及び後カバー２１からなる。前カバー２０は、本体基部１９の前面に取り付けられ、後カバー２１は、本体基部１９の背面上方部に取り付けられる。
【００１４】
パトローネ装填蓋２は、本体基部１９の背面を覆う背面部２２と、底面の一部を覆う底面部２３とを設け、本体基部１９に対して一端のヒンジ部２４を介して回動自在に軸支される。また、本体基部１９の下方部には、電池室蓋２５が開閉自在に取り付けられており、この電池室蓋２５を開き位置にすると、後述する電池室２６が露呈する。
【００１５】
本体基部１９には、図３に示すように、撮影レンズ８及びシャッタ羽根などからなる露光機構２８、対物側ファインダレンズ９及び接眼側ファインダレンズ１６からなるファインダユニット２９、フイルム給送機構３０（図５参照）などの各種撮影機構が組み込まれている。本体基部１９の中央部には、前面側に組み付けられる露光機構２８からフイルム７までの間の撮影光路を遮光する遮光筒３４（図２参照）が設けられている。
【００１６】
この本体基部１９の背面側には、図２に示すように、遮光筒３４に連続して、フイルム７への露光範囲を規定するアパーチャ３５が形成されており、このアパーチャ３５に対面するように、パトローネ装填蓋２の背面部２２には、フイルム支持面２２ａが形成されている。
【００１７】
本体基部１９には、遮光筒３４を挟んで、一方の側方部にはパトローネ４が装填されるパトローネ装填室３６が、他方の側方部にはパトローネ４から引き出されたフイルム７を巻き取るフイルム巻き取り室３７とが設けられている。
【００１８】
パトローネ装填室３６とフイルム巻き取り室３７との間には、アパーチャ３５をほぼ中央の位置に挟んで、フイルム７の側端縁をガイドする一対の凸条３８ａ，３８ｂが上下に設けられ、また凸条３８ａ，３８ｂとアパーチャ３５との間にはフイルム７の前面に接するフイルムレール３９ａ，３９ｂが設けられている。これら、凸条３８ａ，３８ｂ及びフイルムレール３９ａ，３９ｂによってフイルム給送路４０が構成され、このフイルム給送路４０に沿ってフイルム７が移送される。
【００１９】
フイルムレール３９ａの途中には、開口４１が形成され、この開口４１からスプロケット４２が部分的に露出している。スプロケット４２はフイルム７のパーフォレーション７ａに係合し、後述するフイルム給送機構３０によって回転駆動され、フイルム７をフイルム巻き取り室３７に送り込む。
【００２０】
また、パトローネ装填蓋２の背面部２２には、凸条３８ａ，３８ｂの上下の位置に合わせて凸条２２ｂ，２２ｃが形成されている。これによって、パトローネ装填蓋２を閉じ位置にしたとき、凸条２２ｂ，２２ｃが凸条３８ａ，３８ｂを取り囲み、カメラボディ３の背面が光密に覆われる。
【００２１】
フイルム巻き取り室３７の上方部には、図３に示すように、ストロボ発光部１０が取り付けられ、露光機構２８の下方部には電源電池４４を収納する電池室２６が設けられている。ストロボ発光部１０は、放電管及び反射傘などが組み込まれ、回路基板４５と、図示しない電線コードで接続されて、ストロボ装置を構成している。
【００２２】
パトローネ装填室３６は、図３に示すように、軸方向がカメラ１の上下方向と平行に配置されている。さらにこのパトローネ装填室３６は、図４に示すように、パトローネ本体５の外周形状に合わせて略円筒形状に形成されたパトローネ挿入部３６ａと、これに連続するスリット状のフイルム挿入部３６ｂとからなり、上面には、後述するスプール駆動軸５０の付近に、検出部５１が設けられている。
【００２３】
検出部５１は、例えば、周知のマイクロスイッチなどからなり、パトローネ装填室３６にパトローネ４が装填され、内部まで落とし込まれたときに、パトローネ本体５の上面５ｂによってパトローネ装填室３６の上方部へ押し込まれてオン状態となり、パトローネ装填室３６へのパトローネ４の装填状態を検出することができる。なお、検出部５１としては、マイクロスイッチに限るものではなく、フォトリフレクタなどの光電センサや、接点式のスイッチなどを使用してもよい。検出部５１によるパトローネ４の装填状態を示す出力信号は、カメラ１の図示しない制御部へ送られる。
【００２４】
上述した、パトローネ装填室３６、フイルム巻き取り室３７、及びフイルム給送路４０は、パトローネ装填蓋２を開放状態としたときに露呈する。そして、このパトローネ装填蓋２を開放状態としたとき、カメラボディ３の底面部に形成された開口部５２が露呈する。この開口部５２は、詳しくは図４に示すように、パトローネ装填室３６の底面に合わせて形成されており、この開口部５２からパトローネ装填室３６へと、パトローネ４の軸方向に沿って挿入することができる。
【００２５】
フイルム給送機構３０は、本体基部１９の上方部に組み込まれており、詳しくは図５に示すように、スプール駆動軸５０、フイルム巻き取り軸５３、モータ５４、モータ５４の回転駆動を伝達するモータ駆動伝達ギア列５５、スプール駆動軸５０に駆動を伝達するスプール駆動伝達部５６、遊星ギアクラッチ５７、スプロケットギア５８、フイルム巻き取り軸５３に駆動を伝達する巻き取り軸駆動伝達ギア５９とからなる。
【００２６】
スプール駆動軸５０は、パトローネ装填室３６の上方部に組み込まれており、パトローネ４のスプール６に係合するパトフォーク５０ａと、このパトフォーク５０ａの上端に位置し、同軸上に一体形成されたギア５０ｂとから構成される。
【００２７】
フイルム巻き取り軸５３は、フイルム巻き取り室３７の内部に設けられ、その周囲にフイルム７のパーフォレーション７ａと係合する突起５３ａが、上端部の同軸上にはギア５３ｂが一体形成されている。フイルム巻き取り軸５３の内部にはモータ５４が内蔵されている。モータ５４の駆動軸５４ａの先端には、ピニオンギア６１が固着されている。
【００２８】
モータ駆動伝達ギア列５５は、互いに噛合された駆動ギア５５ａ〜ｆからなる。一端側の駆動ギア５５ａには、モータ５４のピニオンギア６１が噛合している。他方側の駆動ギア５５ｆには、遊星ギアクラッチ５７の太陽ギア６３が接続されている。巻き取り軸駆動伝達ギア５９は、モータ駆動伝達ギア列５５の途中に位置する駆動ギア５５ｃと噛合するとともに、フイルム巻き取り軸５３のギア５３ｂと噛合し、モータ５４からの駆動をフイルム巻き取り軸５３に伝達し、フイルム巻き取り軸５３を回転させる。
【００２９】
また、スプール駆動伝達部５６は、互いに噛合された駆動ギア６４，６５から構成される。一方の駆動ギア６４は、遊星ギアクラッチ５７の遊星ギア６６の付近に位置し、他方の駆動ギア６５は、スプール駆動軸５０のギア５０ｂに噛合する。
【００３０】
遊星ギアクラッチ５７は、太陽ギア６３と、遊星ギア６６と、クラッチ板６７とから構成される。クラッチ板６７には、太陽ギア６３及び遊星ギア６６が軸支される。さらに、クラッチ板６７は、本体基部１９に軸支され、太陽ギア６３の中心と同軸に回転する。このため、遊星ギアクラッチ５７は、巻上げ駆動位置（実線で示す位置）と巻戻し駆動位置（２点鎖線で示す位置）との間で移動することができる。
【００３１】
遊星ギア６６が巻上げ駆動位置にあるときには、遊星ギア６６はスプロケットギア５８に噛合する。スプロケットギア５８の下端部の突出部５８ａには、スプロケット４２の開口部４２ａが係合しており、スプロケットギア５８とスプロケット４２とは一体になって回転する。スプロケット４２には、複数の送り歯７０が、フイルム７のパーフォレーション７ａに係合可能な形状に形成されている。
【００３２】
さらに、この送り歯７０の外周縁の下面側には、図６に示すように、上下方向に対して傾斜する傾斜面７０ａが形成されている。そして、遊星ギア６６が巻上げ駆動位置にあるときには、スプロケット４２は回転駆動を受けて巻上げ方向（矢印ａ方向、図５参照）に回動する。なお、傾斜面７０ａは直線的なテーパー面に限るものではなく、円弧状の曲面からなるように形成してもよい。
【００３３】
また、遊星ギア６６が巻戻し駆動位置にあるときには、遊星ギア６６からスプール駆動伝達部５６を介してスプール駆動軸５０に回転駆動が伝達され、パトローネ４のスプール６は回転駆動を受けて巻戻し方向（矢印ｂ方向、図４参照）に回動する。
【００３４】
モータ５４が正転方向（矢印Ａ方向）に回転した場合、遊星ギア６６は巻上げ駆動位置に移動し、回転駆動が伝達されたフイルム巻き取り軸５３、及びスプロケットギア５８がフイルム７を巻き上げる方向に回転する。
【００３５】
そしてモータ５４が逆転方向（矢印Ｂ方向）に回転すると、遊星ギア６６が巻戻し駆動位置に移動し、回転駆動が伝達されたスプール駆動軸５０及びフイルム巻き取り軸５３がフイルム７を巻戻す方向に回転する。このように、モータ５４の回転を切り替えることによって、巻上げ、巻戻し動作を切り替えることができる構成としている。
【００３６】
以下、上記構成による作用を図７を用いて説明する。使用者が、パトローネ装填室３６へのパトローネ４の装填を行うときには、パトローネ装填蓋２をカメラボディ３に対して開放状態とし、フイルム７の一部がパトローネ本体５から引き出された状態で、開口部５２からフイルム装填室３６へ、パトローネ４を軸方向に沿って落とし込む。
【００３７】
スプロケット４２には、傾斜面７０ａが形成されているので、フイルム７は、スプロケット４２に引っ掛かることは少ないが、フイルム７のカールの度合い、パトローネ装填時の使用者の力の入れ具合、落とし込む方向などによって、図７（Ａ）に示す状態のように、フイルム７の端縁７ｂがスプロケット４２に引っ掛かり、フイルム７がフイルム給送路４０に正常にセットされないことがある。以下では、このフイルム７の端縁７ｂがスプロケット４２に引っ掛かった場合を中心にして説明していく。
【００３８】
そして、使用者は、フイルム７がフイルム給送路４０に正しくセットされていないことに気付かずにパトローネ装填蓋２を閉じ位置にする。このパトローネ装填蓋２が閉じ位置となったとき、パトローネ４がパトローネ装填室３９の奥まで落とし込まれて装填されていれば、スプール６の端部がパトフォーク５０ａに係合するとともに、パトローネ本体５の上面５ｂに押し込まれた検出部５１がオン状態となる。パトローネ装填蓋２が閉じ状態であることを図示しない検出部により検出したカメラ１の制御部は、パトローネ装填室３６にパトローネ４が装填状態か否かを検出部５１のオン／オフによって判定し、パトローネ４が装填状態のときには、モータ５４を正転方向（矢印Ａ方向）に回転し始める。
【００３９】
モータ５４が正転方向に回転すると、その回転駆動が遊星ギアクラッチ５７に伝達され、遊星ギア６６が巻上げ駆動位置に移動する。このため、スプロケット４２が巻上げ方向（矢印ａ方向）に回転する。このスプロケット４２の巻上げ方向への回転が行われているとき、スプロケット４２に接触しているフイルム７は、スプロケット４２との間の摩擦力によって引っ張られ、送り歯７０に形成された傾斜面７０ａに沿って上方へ移動していく（図７（Ｂ）に示す状態）。
【００４０】
このスプロケット４２の回転及び摩擦力によって上方へ移動していったフイルム７は、図７（Ｃ）に示すように、フイルム給送路４０の所定位置にセットされるとともに、スプロケット４２の送り歯７０がパーフォレーション７ａに係合される。そして、所定時間回転したモータ５４は駆動を停止する。
【００４１】
このように、フイルム７の端縁７ｂがスプロケット４２に引っ掛かった場合でも、スプロケット４２の回転、及びフイルム７との間の摩擦力によって傾斜面７０ａに沿ってフイルム７を移動させることで、フイルム７をフイルム給送路４０の正常な位置へとスムーズにセットさせることが可能となり、さらに、フイルム７に異常なテンションや負荷などが掛かることがなく、目切れなどの破損を防ぐことが可能となる。
【００４２】
なお、上記実施形態では、スプロケット４２へのフイルム７の端縁７ｂの引っ掛かりを解消させるために、モータ５４を所定時間回転させているが、これに限るものではなく、フイルム給送路４０の上端部に検出部を設け、フイルム７がフイルム給送路４０の正常な位置にセットされていることを検出した場合に、モータ５４を停止し、スプロケット４２の回転を停止させる構成としてもよいし、予備巻き（プレワインディング）方式のカメラの場合には、このまま回転を続行し、フイルム巻き取り軸５３にフイルム７を巻き付けて予備巻きを行うようにしてもよい。
【図面の簡単な説明】
【００４３】
【図１】本発明を実施したカメラの正面斜視図である。
【図２】パトローネ装填室へパトローネを装填するときの状態を示すカメラの背面側斜視図である。
【図３】カメラの構成を示す分解斜視図である。
【図４】パトローネ装填蓋を開放状態としたときのカメラの底面図である。
【図５】フイルム給送機構の構成の概略を示す斜視図である。
【図６】スプロット周辺の構成を示す要部断面図である。
【図７】パトローネ装填後のカメラの動作を示す説明図である。
【符号の説明】
【００４４】
１  カメラ
２  パトローネ装填蓋
３  カメラボディ
４  パトローネ
７  フイルム
７ａ  パーフォレーション
３０  フイルム給送機構
３６  パトローネ装填室
３７  フイルム巻き取り室
４０  フイルム給送路
４２  スプロケット
７０  送り歯
７０ａ  傾斜面
【図１】
2005077514.tif 000003
【図２】
2005077514.tif 000004
【図３】
2005077514.tif 000005
【図４】
2005077514.tif 000006
【図５】
2005077514.tif 000007
【図６】
2005077514.tif 000008
【図７】
2005077514.tif 000009